(57)【特許請求の範囲】
【請求項１】
作動ギャップを有するコア前部体と、
該コア前部体と一体化されて一面側が磁気記録媒体に摺動するフロントコアを構成する非磁性材料製のスライダーと、
前記フロントコアの他面側に接合する磁性材料製のバックヨークとを備え、
該バックヨークは、先端側が前記フロントコアに接合される略矩形環状の外側体と、該外側体の基端側に形成された底部と、該底部に直立されて先端側が前記コア前部体に接合されこのコア前部体及び前記底部と共に閉磁路を形成する複数の脚部とからなり、
前記複数の脚部のうち少なくとも一つを除く他の脚部にコイルを嵌装した磁気ヘッドであって、
前記コイルが嵌装されない脚部を前記外側体に連接し、かつ当該脚部の断面積を前記コイルを嵌装した脚部の断面積より大きくしたことを特徴とする磁気ヘッド。
【請求項２】
作動ギャップは記録再生ギャップと消去ギャップとからなり、脚部は並んで配列された３つからなり、両側の脚部に記録再生ギャップ及び消去ギャップにそれぞれ対応する記録再生コイル及び消去コイルを嵌装したことを特徴とする請求項１記載の磁気ヘッド。
【発明の詳細な説明】
【０００１】
【発明の属する技術分野】
本発明は、フロッピーディスクドライブ装置に用いられる磁気ヘッドに関する。
【０００２】
【従来の技術】
一般に、ＦＤＤ（フロッピーディスクドライブ装置）はパソコンの内部に取付けられるため、ＣＲＴやスイッチング電源等からの電磁波によりＦＤＤの磁気ヘッドが読取りエラーを起こしやすい。そして、このような磁気ヘッドの読取りエラーを生じさせないために、パーマロイやフェライトなどの高透磁率磁性体で磁気ヘッドをシールドするのが一般的である（この一般的な磁気ヘッドを以下、便宜上、従来例１という）。
ところで、近年、ノートＰＣ（ノートパソコン）等ではハーフインチ厚の薄型ＦＤＤを使用するようになっているが、この場合、パーマロイやフェライトなどの高透磁率磁性体で磁気ヘッドをシールドすることが困難になっている。この対策として、特開平７−２３５０１３号公報に示すもの（以下、便宜上、従来例２という。）がある。
【０００３】
従来例２の磁気ヘッド１は、図６に示すように、記録再生ギャップＧ１  及び消去ギャップＧ２  を有するコア前部体２と、コア前部体２を挟んでコア前部体２と一体化されて一面側（図６上側）が磁気記録媒体（図示省略）に摺動するフロントコア３を構成する非磁性材料製の第１、第２のスライダー４ａ，４ｂと、フロントコア３の他面側に接合するＭｎ−Ｚｎフェライトなどの高透磁率磁性材料製のバックヨーク５と、後述する記録再生コイル６及び消去コイル７とから大略構成されている。
【０００４】
バックヨーク５は、先端側が前記フロントコア３に接合される、図６に示すように略矩形環状の外側体８と、外側体８の基端側に形成された底部９と、底部９に並んで直立され先端側が前記コア前部体２に接合されこのコア前部体２及び前記底部９と共に閉磁路（図示省略）を形成する略同等形状の３つの脚部（以下、便宜上、図６右から左に向けて順に第１、第２、第３の脚部という。）１０ａ，１０ｂ，１０ｃとからなっている。
外側体８は、相対向する２つの短辺部（以下、便宜上、図６右下のものを第１の短辺部８１１といい、左上のものを第２の短辺部８１２という。）及び相対向する２つの長辺部（以下、便宜上、図６右上のものを第１の長辺部８２１といい、左下のものを第２の長辺部８２２という。）を連接して、図６に示すように４辺を持つ矩形枠状（すなわち、略矩形環状）をなしており、底部９における第１の短辺部８１１と第１の脚部１０ａとの間、及び第２の短辺部８１２と第３の脚部１０ｃとの間には、開口部１１が形成されている。開口部１１からは、記録再生コイル６のリード線６ａ及び消去コイル７のリード線７ａが外部に引き出され、図示しないＦＰＣ（フレキシブルプリント基板）等の外部接続端子に接続される。前記第１、第３の脚部１０ａ，１０ｃには、前記記録再生コイル６及び消去コイル７が嵌装されている。
【０００５】
この従来例２の磁気ヘッド１は、バックヨーク５がＭｎ−Ｚｎフェライトなどの高透磁率磁性材料製であり、その外側体８及び底部９により磁気シールドを果たすようにしている。そして、この場合、磁気ヘッド１に設けたバックヨーク５が磁気シールドを行うので、薄型ＦＤＤに用いた場合に生じ得る従来例１が有する磁気シールドの困難さの問題についての改善が図れるようになる。
【０００６】
ところで、バックヨーク５は、セラミックスの製法と同様にＭｎ−Ｚｎフェライト等の粉末とバインダーとを金型で所定の形状に成形した後、高温で焼成して、バインダーを焼き飛ばすと同時に粉末を焼き固めるようにしている。従って、脚部（１０ａ，１０ｂ，１０ｃ）を細くすると、焼成後に曲がりやクラック等を招く虞がある。
【０００７】
これに対し、前記従来例２の磁気ヘッド１は、コイル（記録再生コイル６、消去コイル７）を嵌装する第１、第３の脚部１０ａ，１０ｃについてはコイルの内径に比して細くする必要があるが、コイルを嵌装しない第２の脚部１０ｂについてはこのような制約がないことから、必ずしも第１、第３の脚部１０ａ，１０ｃと略同等の太さにしなくてよい。しかしながら、従来例２の磁気ヘッド１は、第１、第３の脚部１０ａ，１０ｃがコイルの内径に比して細くてもコイルが嵌装されることにより補強され破損防止されることになる一方、上述したように第２の脚部１０ｂを第１、第３の脚部１０ａ，１０ｃと略同等の径（略同等の形状）にしており、この分、第２の脚部１０ｂの強度は相対的に小さくなり、上述した曲がりやクラック等の発生の点で問題を有しているというのが実情であった。
このため、この従来例２の磁気ヘッド１は、薄型ＦＤＤに用いた場合に生じ得る従来例１が有する磁気シールドの困難さの問題について、適切に改善し得ているとは言えなかった。
【０００８】
なお、従来例２（図６）に対し、第１、第２、第３の脚部１０ａ，１０ｂ，１０ｃを後加工で細くするようにした従来例として、特開平１０−４０５２５号に示すもの（以下、便宜上、従来例３という）がある。
従来例３の磁気ヘッド１は、図７及び図８に示すように、スライダー４に形成した孔１２にコア前部体２を嵌合することによりスライダー４及びコア前部体２から構成されるフロントコア３と、次に示すように製造される高透磁率磁性材料製のバックヨーク５と、を備えている。
【０００９】
バックヨーク５は、前記従来例２のバックヨーク５に比して、底部９に開口部１１を有していないこと、第２の長辺部８２２に第１、第２、第３の脚部１０ａ，１０ｂ，１０ｃのそれぞれに延びる第１、第２、第３の凸部１３ａ，１３ｂ，１３ｃを形成したこと、第１、第２の短辺部８１１，８１２に切欠１４が形成されたことが異なっている。
そして、このバックヨーク５は、粉末成形、焼成を行う時点では、図７中点線１５で示すように、第１、第２、第３の脚部１０ａ，１０ｂ，１０ｃは外側体８（第１、第２、第３の凸部１３ａ，１３ｂ，１３ｃ）に連接しており、研削溝入れ等の後加工で、図７点線１５の部分を除去し第１、第２、第３の脚部１０ａ，１０ｂ，１０ｃを所定の幅（太さ）に分離する。この研削溝入れにより、第１、第２の短辺部８１１，８１２に切欠１４が形成される。この切欠１４を通して記録再生コイル６のリード線６ａ及び消去コイル７のリード線７ａが外部に引き出される。
【００１０】
この従来例３の磁気ヘッド１は、成形、焼成時に第１、第２、第３の脚部１０ａ，１０ｂ，１０ｃが外側体８に連接しており、第１、第２、第３の脚部１０ａ，１０ｂ，１０ｃが曲がりやクラックを発生することが防止されている。
【００１１】
【発明が解決しようとする課題】
しかしながら、上述した従来例３の磁気ヘッド１は、研削で第１、第２、第３の脚部１０ａ，１０ｂ，１０ｃを所定の太さに加工するときに、コイル（記録再生コイル６及び消去コイル７）が嵌装される第１、第３の脚部１０ａ，１０ｃのみならず、コイルが嵌装されない第２の脚部１０ｂも第１、第３の脚部１０ａ，１０ｃと略同等に細くなり、この分、磁気抵抗が大きくなる欠点がある。
【００１２】
また、第１、第３の脚部１０ａ，１０ｃには嵌装されたコイル（記録再生コイル６及び消去コイル７）がエポキシ接着剤等で固定されるため、第１、第３の脚部１０ａ，１０ｃはコイル（記録再生コイル６及び消去コイル７）で補強された状態になり、組立作業中または使用中に衝撃などが作用しても十分耐え、破損するようなことがない。しかし、第２の脚部１０ｂはコイルを嵌装しないため、強度が小さいままであり、組立作業中または使用中に衝撃などが作用した場合、破損してしまう虞があった。
【００１３】
本発明は、上記事情に鑑みてなされたもので、強度向上が図れ、かつ記録再生効率の向上を図ることができる磁気ヘッドを提供することを目的とする。
【００１４】
【課題を解決するための手段】
請求項１記載の発明は、作動ギャップを有するコア前部体と、該コア前部体と一体化されて一面側が磁気記録媒体に摺動するフロントコアを構成する非磁性材料製のスライダーと、前記フロントコアの他面側に接合する磁性材料製のバックヨークとを備え、該バックヨークは、先端側が前記フロントコアに接合される略矩形環状の外側体と、該外側体の基端側に形成された底部と、該底部に直立されて先端側が前記コア前部体に接合されこのコア前部体及び前記底部と共に閉磁路を形成する複数の脚部とからなり、前記複数の脚部のうち少なくとも一つを除く他の脚部にコイルを嵌装した磁気ヘッドであって、前記コイルが嵌装されない脚部を前記外側体に連接し、かつ当該脚部の断面積を前記コイルを嵌装した脚部の断面積より大きくしたことを特徴とする。
請求項２記載の発明は、請求項１記載の構成において、作動ギャップは記録再生ギャップと消去ギャップとからなり、脚部は並んで配列された３つからなり、両側の脚部に記録再生ギャップ及び消去ギャップにそれぞれ対応する記録再生コイル及び消去コイルを嵌装したことを特徴とする。
【００１５】
請求項２記載の発明は、請求項１記載の構成において、作動ギャップは記録再生ギャップと消去ギャップとからなり、脚部は並んで配列された３つからなり、両側の脚部に記録再生ギャップ及び消去ギャップにそれぞれ対応する記録再生コイル及び消去コイルを嵌装したことを特徴とする。
【００１６】
【発明の実施の形態】
以下、本発明の第１の実施の形態の磁気ヘッド１を図１に基づいて説明する。なお、図６ないし図８に示す部材、部分と同等の部材、部分については同等の符号を付し、その説明は、適宜、省略する。
第１の実施の形態の磁気ヘッド１は、図１に示すように、記録再生ギャップＧ１  （作動ギャップ）及び消去ギャップＧ２  （作動ギャップ）を有するＭｎ−Ｚｎフェライト製のコア前部体２と、コア前部体２を挟んで低温ガラスやエポキシ接着剤等でこのコア前部体２と一体化されて一面側（図１上側、以下、摺動面部Ｓという。）が磁気記録媒体（図示省略）に摺動するフロントコア３を構成するチタン酸カルシュウム等の非磁性材料製の第１、第２のスライダー４ａ，４ｂと、フロントコア３の他面側に接合するＭｎ−Ｚｎフェライトなどの高透磁率磁性材料製のバックヨーク５と、記録再生コイル６及び消去コイル７とから大略構成されている。
【００１７】
コア前部体２は、記録再生用コア１６と、この記録再生用コア１６に非磁性接着剤（図示省略）により接合される消去用コア１７とから構成されている。
記録再生用コア１６は、ガラス１８により接合される略台形状の記録再生用コア本体１６ａ及び略四角柱状の記録再生用コア副体１６ｂとからなり、接合部に記録再生ギャップＧ１  を形成している。消去用コア１７は、ガラス１８により接合される略台形状の消去用コア本体１７ａ及び略四角柱状の消去用コア副体１７ｂとからなり、接合部に消去ギャップＧ２  を形成している。
記録再生用コア副体１６ｂと消去用コア副体１７ｂとの間に前記非磁性接着剤が介装されており、記録再生用コア１６と消去用コア１７とを接合している。
【００１８】
第１のスライダー４ａは、略矩形の板状をなし、摺動面部Ｓにコア前部体２の長手方向に沿って延びる凹溝１９が形成されている。第２のスライダー４ｂは略四角柱状をなしている。バックヨーク５は、前記従来例２のバックヨーク５に比して、第２の脚部１０ｂと第１の長辺部８２１（外側体８）とが連接されたものになっていることが異なっている。そして、この第１実施の形態のバックヨーク５の外側体８は、前記従来例２のバックヨーク５（図６）と同様に、図１に示すように４辺を持つ矩形枠状（すなわち、略矩形環状）をなしている。
【００１９】
このバックヨーク５は、第１の脚部１０ａに記録再生コイル６が嵌装され、また、第３の脚部１０ｃに消去コイル７が嵌装され、第１の脚部１０ａの先端部が記録再生用コア本体１６ａに接合され、第３の脚部１０ｃの先端部が消去用コア本体１７ａに接合され、かつ第２の脚部１０ｂの先端部が非磁性接着剤により接合された記録再生用コア副体１６ｂ及び消去用コア副体１７ｂに接合されるようになっている。このようにバックヨーク５がコア前部体２の各部に接合されることにより、記録再生用コア副体１６ｂ、第２の脚部１０ｂ、底部９、第１の脚部１０ａ及び記録再生用コア本体１６ａから記録再生用閉磁路が形成され、消去用コア副体１７ｂ、第２の脚部１０ｂ、底部９、第３の脚部１０ｃ及び消去用コア本体１７ａから消去用閉磁路が形成されている。
【００２０】
第１の脚部１０ａには記録再生コイル６が嵌装され、かつエポキシ接着剤等の接着剤により接着されている。第３の脚部１０ｃには消去コイル７が嵌装され、かつエポキシ接着剤等の接着剤により接着されている。
【００２１】
このように構成された磁気ヘッド１では、第２の脚部１０ｂと第１の長辺部８21（外側体８）とが連接したものになっており、第２の脚部１０ｂの断面積（太さ）を図６の従来例２に比して大きくする（第２の脚部１０ｂと第１の長辺部８21との連接部分を第２の脚部１０ｂの一部として利用する）ことが可能になり、これに伴い磁気抵抗が低下し、記録再生効率を向上することができる。また、第１、第３の脚部１０ａ，１０ｃには接着剤により記録再生コイル６、消去コイル７が接着されており、第１、第３の脚部１０ａ，１０ｃの強度向上が図られている。また、第２の脚部１０ｂは外側体８に連接したものになっており、大きな強度を有することになる。このため、第１、第２、第３の脚部１０ａ，１０ｂ，１０ｃに、仮に組立作業中や使用中に衝撃などが作用しても、第１、第２、第３の脚部１０ａ，１０ｂ，１０ｃが曲がったり、クラックなどを発生したりすることを抑制できる。
【００２２】
次に、本発明の第２の実施の形態の磁気ヘッド１を図２に基づいて説明する。なお、図１、図６ないし図８に示す部材、部分と同等の部材、部分については同等の符号を付し、その説明は、適宜、省略する。
第２の実施の形態の磁気ヘッド１は、図２に示すように、記録再生ギャップＧ１  （作動ギャップ）及び消去ギャップＧ２  （作動ギャップ）を有するコア前部体２と、コア前部体２を嵌合することにより、一面側に摺動面（摺動面部Ｓ）を形成したフロントコア３を構成する非磁性材料製のスライダー４と、フロントコア３の他面側に接合するＭｎ−Ｚｎフェライトなどの高透磁率磁性材料製のバックヨーク５と、記録再生コイル６及び消去コイル７とから大略構成されている。
【００２３】
バックヨーク５は、先端側が前記フロントコア３のスライダー４に接合される略矩形環状の外側体８〔第２の実施の形態（図２）の外側体８は、後述するように第１、第２の短辺部８１１，８１２に切欠１４を形成しているが、図１の外側体８と同様に４辺を有するものであり、略矩形環状とされている。〕と、外側体８の基端側に形成された底部９と、底部９における第２の長辺部８２２側に並んで直立された第１、第２、第３の脚部１０ａ，１０ｂ，１０ｃとを有している。この場合、第２の脚部１０ｂは第２の長辺部８２２に連接したものになっている。第１、第２の短辺部８１１，８１２における第２の長辺部８２２の近傍には切欠１４が形成されている。
【００２４】
記録再生コイル６及び消去コイル７は、一体成形により得られる端子付きボビンタイプのコイルであり、記録再生コイル６及び消去コイル７の巻線をＬＣＰなどの高耐熱性樹脂材料製のボビン２０が保持したものになっている。
ボビン２０は、記録再生コイル６の巻線６Ａまたは消去コイル７の巻線７Ａが嵌装される略筒状のボビン本体２０ａと、このボビン本体２０ａの鍔部２０ｂに連接した前記切欠１４に比してわずかに幅が短い板状の延伸部２０ｃと、延伸部２０ｃの先端側にこの延伸部２０ｃと直交するように接続された略四角柱状の端子台２０ｄと、端子台２０ｄの下面側に一体成形され、図示しないＦＰＣ等の外部接続端子に接続される金属製の端子ピン２０ｅとから大略構成されている。記録再生コイル６のリード線６ａ及び消去コイル７のリード線７ａは端子台２０ｄの端子ピン２０ｅに接続されている。
【００２５】
記録再生コイル６は、略筒状のボビン本体２０ａを第１の脚部１０ａに挿入させた状態で切欠１４に延伸部２０ｃが収まるようになっている。そして、この状態でエポキシ接着剤などの接着剤により記録再生コイル６（ボビン２０）と第１の脚部１０ａとは一体化されている。
また、消去コイル７は、略筒状のボビン本体２０ａを第３の脚部１０ｃに挿入させた状態で切欠に延伸部２０ｃが収まるようになっている。そして、この状態でエポキシ接着剤などの接着剤により消去コイル７（ボビン２０）と第３の脚部１０ｃとは一体化されている。
【００２６】
このように構成された磁気ヘッド１では、第２の脚部１０ｂと第２の長辺部８２２（外側体８）とが連接したものになっており、第２の脚部１０ｂの断面積を図６の従来例２に比して大きくする（第２の脚部１０ｂと第２の長辺部８２２との連接部分を第２の脚部１０ｂの一部として利用する）ことが可能になり、これに伴い磁気抵抗が低下し、記録再生効率を向上することができる。
また、第１、第３の脚部１０ａ，１０ｃのそれぞれには接着剤により記録再生コイル６（ボビン２０）、消去コイル７（ボビン２０）が接着されており、第１、第３の脚部１０ａ，１０ｃの強度向上が図られている。また、第２の脚部１０ｂは外側体８に連接したものになっており、大きな強度を有することになる。このため、第１、第２、第３の脚部１０ａ，１０ｂ，１０ｃに、仮に組立作業中や使用中に衝撃などが作用しても、曲がりやクラックなどの発生を抑制することができる。
【００２７】
次に、本発明の第３の実施の形態の磁気ヘッド１を図３ないし図５に基づいて説明する。なお、図１、図２、図６ないし図８に示す部材、部分と同等の部材、部分については同等の符号を付し、その説明は、適宜、省略する。
第３の実施の形態の磁気ヘッド１は、図３ないし図５に示すように、前記第２の実施の形態（図２）に比して、バックヨーク５の第１、第２の短辺部８１１，８１２と第２の長辺部８２２との隅部２２に切欠２３を形成したこと、ボビン２０を一体成形したタイプの図２の記録再生コイル６及び消去コイル７に替える他の構造（端子台２０ｄとボビン本体２０ａとが別体）の記録再生コイル６及び消去コイル７を設けたことが、主に異なっている。
切欠２３は、底部９における隅部２２の近傍部分、第１、第２の短辺部８１１，８１２の隅部２２の近傍部分、第２の長辺部８２２の隅部２２の近傍部分を含むものとなっている。
【００２８】
記録再生コイル６及び消去コイル７の各ボビン２０は、記録再生コイル６または消去コイル７の巻線が嵌装される略筒状のボビン本体２０ａと、このボビン本体２０ａの鍔部２０ｂに保持される略四角柱状の端子台２０ｄと、端子台２０ｄの下面側に一体成形され、図示しないＦＰＣ等の外部接続端子に接続される金属製の端子ピン２０ｅとから大略構成されている。記録再生コイル６のリード線６ａ及び消去コイル７のリード線７ａは端子ピン２０ｅに接続されている。
記録再生コイル６は、略筒状のボビン本体２０ａを第１の脚部１０ａに挿入させた状態で、切欠２３を形成した部分に端子台２０ｄが位置するようになっている。この際、底部９を含む切欠形成壁部２４に端子台２０ｄが当接するようになっている。そして、この状態でエポキシ接着剤などの接着剤により記録再生コイル６（ボビン２０）と第１の脚部１０ａとは一体化されている。
また、消去コイル７は、略筒状のボビン本体２０ａを第３の脚部１０ｃに挿入させた状態で、切欠２３を形成した部分に端子台２０ｄが位置するようになっている。この際、底部９を含む切欠形成壁部２４に端子台２０ｄが当接するようになっている。そして、この状態でエポキシ接着剤などの接着剤により記録再生コイル６と第３の脚部１０ｃとは一体化されている。
【００２９】
次に、前記バックヨーク５の製造方法を図５に基づいて説明する。バックヨーク５は、図５に示すように、外側体８を略矩形環状〔この第３の実施の形態（図３〜５）の外側体８は、前述したように隅部２２に切欠２３を形成しているが、図１の外側体８と同様に４辺を残すものとなっており、略矩形環状とされている。〕とし、かつ第１の脚部１０ａを第１の短辺部８１１に連接させ、第２の脚部１０ｂを第２の長辺部８２２に連接させ、第３の脚部１０ｃを第２の短辺部８１２に連接させて成形、焼成され、この後、図５に一点鎖線２５で示す範囲を対象にして研削加工（後加工）が施されて前記切欠２３が作成される。この切欠作成の際、第１の脚部１０ａと第１の短辺部８１１との連接部及び第３の脚部１０ｃと第２の短辺部８１２との連接部が研削され、第１、第３の脚部１０ａ，１０ｃが所望の太さにされる。
【００３０】
このように構成された磁気ヘッド１では、第２の脚部１０ｂと第２の長辺部８２２（外側体８）とが連接したものになっており、第２の脚部１０ｂの断面積を図６の従来例２に比して大きくする（第２の脚部１０ｂと第２の長辺部８２２との連接部分を第２の脚部１０ｂの一部として利用する）ことが可能になり、これに伴い磁気抵抗が低下し、記録再生効率を向上することができる。
また、第１、第３の脚部１０ａ，１０ｃには接着剤により記録再生コイル６、消去コイル７が接着されており、第１、第３の脚部１０ａ，１０ｃの強度向上が図られている。また、第２の脚部１０ｂは外側体８に連接したものになっており、大きな強度を有することになる。このため、第１、第２、第３の脚部１０ａ，１０ｂ，１０ｃに、仮に組立作業中や使用中に衝撃などが作用しても、曲がりやクラックなどの発生を抑制することができる。
【００３１】
また、コイル（記録再生コイル６、消去コイル７）が嵌装される第１、第３の脚部１０ａ，１０ｃは後加工で寸法（太さ、幅）調整可能であるので、第１、第３の脚部１０ａ，１０ｃについて必要最小限の断面積（太さ）にすることができ、この分、小型化できることになる。この第１、第３の脚部１０ａ，１０ｃの寸法（幅）調整は研削加工（機械加工）で行うので、第１、第３の脚部１０ａ，１０ｃの幅の寸法精度が向上し、これに伴い、コイルの内径（ボビン本体２０ａの内径）とのクリアランスを小さくすることができ、ひいては磁気ヘッド１を小型化することができる。
【００３２】
上記各実施の形態では、磁気ヘッド１に記録再生ギャップＧ１  （作動ギャップ）及び消去ギャップＧ２  （作動ギャップ）を有しており、記録再生ギャップＧ１  及び消去ギャップＧ２  をそれぞれ別個の磁気ヘッドに設ける場合に比して、情報の記録再生及び消去をより精度高く行うことができる。
なお、本発明は、記録再生ギャップＧ１  及び消去ギャップＧ２  を一つの磁気ヘッドに設けるものに限定されず、例えば、図１において、消去ギャップＧ２  、消去コイル７及び第３の脚部１０ｃを省略して磁気ヘッド１を構成してもよい。この場合にも、第２の脚部１０ｂが外側体８に連接しているので、磁気ヘッド１の強度向上を図ることができる。なお、このように消去ギャップＧ２  、消去コイル７及び第３の脚部１０ｃを省略する場合、フロントコア３のうちこれら省略部材に対応する部分及びバックヨーク５のうちこれら省略部材に対応する部分を廃止することが可能であり、これに伴って形状を小さくすることができる。
【００３３】
【発明の効果】
請求項１記載の発明は、前記コイルが嵌装されない脚部の断面積を前記コイルを嵌装した脚部の断面積より大きくするので、前記コイルが嵌装されない脚部の断面積（太さ）を大きくすることが可能になり、これに伴い磁気抵抗が低下し、記録再生効率を向上することができる。また、前記コイルが嵌装されない脚部を前記外側体に連接するので、前記コイルが嵌装されない脚部は、大きな強度を有することになる。このため、仮に組立作業中や使用中に衝撃などが作用しても、当該脚部が曲がったり、クラックなどを発生したりすることを抑制できる。
請求項２記載の発明は、磁気ヘッドに作動ギャップとして記録再生ギャップ及び消去ギャップを備えており、情報の記録再生及び消去をより精度高く行うことができる。
【図面の簡単な説明】
【図１】本発明の第１の実施の形態の磁気ヘッドを示す分解斜視図である。
【図２】本発明の第２の実施の形態の磁気ヘッドを示す分解斜視図である。
【図３】本発明の第３の実施の形態の磁気ヘッドを示す分解斜視図である。
【図４】図３のバックヨークに記録再生コイル及び消去コイルを組み付けた状態を示す分解斜視図である。
【図５】図３のバックヨークの製造方法を模式的に示す斜視図である。
【図６】従来の磁気ヘッドの一例を示す分解斜視図である。
【図７】従来の磁気ヘッドの他の例を示す分解斜視図である。
【図８】図７のフロントコアを示す斜視図である。
【符号の説明】
１      磁気ヘッド
２      コア前部体
３      フロントコア
５      バックヨーク
８      外側体
９      底部
１０ａ，１０ｃ第１、第３の脚部（複数の脚部のうち一つを除く他の脚部）
１０ｂ  第２の脚部（コイルが嵌装されない脚部）
【図１】
0003548904.tif 000002
【図２】
0003548904.tif 000003
【図３】
0003548904.tif 000004
【図４】
0003548904.tif 000005
【図５】
0003548904.tif 000006
【図６】
0003548904.tif 000007
【図７】
0003548904.tif 000008
【図８】
0003548904.tif 000009